(57)【要約】【課題】コンベア等で物品を保持する物品保持具であって、物品が物品保持具内で位置ずれを起こさず、かつ軽量化を図ることのできる物品保持具を提供する。【解決手段】物品保持具１Ａが、内部空間を有する枠体１０、枠体１０の内周部に設けられた弾性保持部材２０、及び弾性保持部材２０に把持されて枠体１０内の中央部に装着された中子３０を有する。中子３０は、物品４０が嵌入される窪み３１又は穴を有する。【選択図】図１
2018131215.tif 000002
【特許請求の範囲】
【請求項１】
内部空間を有する枠体、
枠体の内周部に設けられた弾性保持部材、及び
弾性保持部材による把持で枠体内の中央部に装着された、物品が嵌入される窪み又は穴を有する中子
を備えた物品保持具。
【請求項２】
弾性保持部材が、枠体の内部空間の中央部の方向に凸状に湾曲させた面状弾性体である請求項１記載の物品保持具。
【請求項３】
中子は、該中子の上下方向の中央部において外側に突出した突出部を有し、該突出部が面状弾性体に形成されているスリットに挿入されている請求項２記載の物品保持具。
【請求項４】
弾性保持部材が中空部を有する請求項１記載の物品保持具。
【請求項５】
弾性保持部材が気体の吸排気により膨張可能な中空部を有する請求項４記載の物品保持具。
【請求項６】
中子の側面と弾性保持部材が面接触する請求項１〜４のいずれかに記載の物品保持具。
【請求項７】
中子は、該中子の上部において外側に突出し、枠体の内周面に当接している腕部を有する請求項１〜６のいずれかに記載の物品保持具。
【請求項８】
中子の内周面及び外周面に多数の横筋が並列している請求項１〜７のいずれかに記載の物品保持具。
【発明の詳細な説明】
【技術分野】
【０００１】
本発明は、物品保持具に関する。
【背景技術】
【０００２】
ボトル状製品の生産ラインでは、コンベア上を次々と搬送されるボトル状容器に内容物の充填、キャップの装着などを行うために、ボトル状容器を直立した状態に維持させることが必要となる。そこでボトル状容器の下部を保持する袴やホルダーとも呼ばれる物品保持具が使用されている。
【０００３】
このような物品保持具であって、簡便な構造を有し、かつ種々の形状の物品の保持を可能とするものとして、外枠体と、該外枠体の内周部に取り付けた弾性保持体からなる物品保持具が提案されている（特許文献１）。この物品保持具において弾性保持体としては、ベルトコンベアのベルトと同様の材質で形成された帯状材料を外枠体の内周部に湾曲させて取り付けたものが使用される。
【０００４】
また、有底筒状のベース部材と、ベース部材に嵌入する金属製の成形材容器と、成形材容器の中で個々の物品の外形に応じた形状に溶融成形された中実の樹脂成形物から物品保持具を構成することが提案されている（特許文献２）。
【先行技術文献】
【特許文献】
【０００５】
【特許文献１】特開平８−２８２６３３号公報
【特許文献２】特開平１０−２９１５９０号公報
【発明の概要】
【発明が解決しようとする課題】
【０００６】
しかしながら、特許文献１に記載されているように帯状材料を湾曲させた弾性保持体を外枠体の内周部に取り付けただけの物品保持具では、弾性保持体の内径に対して外形が小さい物品は保持することができない。また、物品が上面視で正方形や長方形であると、その角部が弾性保持体からずれやすく、常時振動が加わるライン上では物品の保持位置がずれる場合がある。また、物品の形状が、底部に向かって外径が小さくなっていく底すぼみの場合には物品の上部が揺れやすく、特に、コンベアが間欠モーションで物品を搬送する場合には、物品の口部に位置ずれが起こりやすい。位置ずれが起こると、内容物の注入やキャップの装着などに支障がきたされる。
【０００７】
物品保持具内での物品の位置ずれを防止するには、特許文献２に記載のように、金属製の成形材容器と、その成形材容器の中で物品ごとに溶融成形した中実の樹脂成形物を使用することも考えられるが、この構成では物品保持具の重量が重くなるため、物品保持具の取り扱い性が劣る。
【０００８】
このような問題に対し、本発明は、コンベア等で物品を保持する物品保持具であって、物品が物品保持具内で位置ずれを起こさず、かつ、軽量化を図ることのできる物品保持具の提供を課題とする。
【課題を解決するための手段】
【０００９】
本発明者は、物品保持具を、枠体と、枠体の内周部に設けた弾性保持部材と、物品が嵌入される中子から構成し、弾性保持部材で中子を把持し、中子に物品を嵌入させると、物品の保持位置を精確に維持することができ、かつ物品保持具を軽量化できることを見出し、本発明を想到した。
【００１０】
即ち、本発明は、内部空間を有する枠体、
枠体の内周部に設けられた弾性保持部材、及び
弾性保持部材による把持で枠体内の中央部に装着され、物品が嵌入される窪み又は穴を有する中子
を備えた物品保持具を提供する。
【発明の効果】
【００１１】
本発明の物品保持具によれば、枠体と弾性保持部材の使用により、中実の樹脂成形物だけで物品を保持する場合に比して物品保持具を軽量化することができ、かつ弾性保持部材によって把持される中子に物品を嵌入するので、物品保持具における物品の保持位置を安定させることができる。したがって、この物品保持具を、コンベアで物品を搬送するラインで使用しても、特に、その搬送ラインで物品が間欠モーションで搬送されることにより物品の保持状態が脈動し、前後する物品保持具同士が衝突する場合においても、物品が物品保持具内で位置ずれすることを防止することができる。
【００１２】
また、本発明の物品保持具によれば、保持すべき物品の形状や大きさに合わせて中子を取り揃えておくことにより、枠体や弾性保持部材は物品の形状や大きさによって変更することなく、種々の形状や大きさの物品を位置ずれなく保持することができる。したがって、化粧品、スキンケア製品、ヘアケア製品等のように、多種多様の形状や大きさの容器が生産ラインで搬送対象となる場合に本発明の物品保持具を使用することができる。
【図面の簡単な説明】
【００１３】
【図１】図１は、実施例の物品保持具１Ａと、物品保持具１Ａで保持する物品の斜視図である。
【図２Ａ】図２Ａは、物品を保持した状態の物品保持具１Ａの斜視図である。
【図２Ｂ】図２Ｂは、物品を保持した状態の物品保持具１Ａの上面図である。
【図３】図３は、中子を外した状態の物品保持具１Ａの斜視図である。
【図４】図４は、実施例の物品保持具１Ｂの斜視図である。
【図５】図５は、中子を外した状態の物品保持具１Ｂの斜視図である。
【図６Ａ】図６Ａは、物品を保持した状態の物品保持具１Ｂの斜視図である。
【図６Ｂ】図６Ｂは、物品を保持した状態の物品保持具１Ｂの上面図である。
【図７】図７は、物品を保持した状態の物品保持具の変形態様の上面図である
【図８】図８は、実施例の物品保持具１Ｃと、物品保持具１Ｃで保持する物品の斜視図である。
【図９】図９は、物品保持具１Ｃを側面側から見た斜視図である。
【図１０】図１０は、中子を外した状態の物品保持具１Ｃの斜視図である。
【図１１】図１１は、概略Ｘ形の面状弾性体の平面図である。
【発明を実施するための形態】
【００１４】
以下、図面を参照しつつ本発明を詳細に説明する。なお、各図中、同一符号は同一又は同等の構成要素を表している。
【００１５】
＜第１の実施例＞
（全体構成）
図１は、本発明の一実施例の物品保持具１Ａと、この物品保持具１Ａで保持する物品４０の斜視図であり、図２Ａは物品４０を保持した状態の物品保持具１Ａの斜視図であり、図２Ｂはその上面図である。
【００１６】
本実施例の物品保持具１Ａは、内部空間を有する枠体１０と、枠体１０の内周部に設けられた弾性保持部材２０と、弾性保持部材２０で把持されることにより枠体内の中央部に装着された中子３０を備えている。この物品保持具１Ａは、弾性保持部材２０として、膨張可能な中空部を有する中空部材２１を有している。
【００１７】
（枠体）
本実施例において、枠体１０は、上部枠部材１１、底部枠部材１２、上部枠部材１１と底部枠部材１２を繋ぐ柱部材１３を有し、それぞれ樹脂成形体で形成されている。
上部枠部材１１は上面視で外形が概略矩形であり、上面に８角形の開口部１４を有する。
【００１８】
底部枠部材１２は、上面視で外形が上部枠部材１１と同様に概略矩形であり、内部に中子３０が入る窪みを有している。また、底部枠部材１２の外側の側面には、衝突時衝撃緩和材やピッチ調整スペーサー等の取付穴１５が設けられている。
【００１９】
（弾性保持部材）
本実施例では弾性保持部材２０として、枠体１０の内周部において各柱部材１３の長手方向に沿って設けられた、上面視が蒲鉾型の柱状の中空部材２１が設けられている。この中空部材２１は、天然ゴム、合成ゴムなどの伸縮性材料から形成されており、膨張可能な中空部を有する。
【００２０】
また、本実施例の中空部材２１には、吸排気口（図示せず）が設けられており、この吸排気口から常法により空気、窒素などの気体を吸排気することにより、中空部が膨張収縮する。したがって、この弾性保持部材２０によれば、気体の吸排気により中空部を適宜膨張収縮させることで、弾性保持部材２０の中子３０に対する把持力を調整することが可能である。一方、本発明において中空部材２１としては、ブロー成形などにより形成された閉鎖された中空部を有し、吸排気口をもたないものを使用してもよい。
【００２１】
弾性保持部材２０の把持力は中子３０の交換のし易さ、弾性保持部材２０を形成している材料の強度などに応じて適宜定めることができるが、例えば、５〜３０Ｎとすることが好ましい。なお、この把持力は、中子３０が弾性保持部材２０を押し込む距離を、プッシュプルゲージにて弾性保持部材２０を押圧して測定される数値である。
【００２２】
また、弾性保持部材２０をなす中空部材２１は、各柱部材１３に沿って、枠体１０の中心に対して放射状に配置されている。このように弾性保持部材２０を放射状に配置すると、中子３０を各弾性保持部材２０により均等な力で保持することができ、中子３０を枠体１０の内部空間の中央に固定的に装着することができる。したがって、搬送時や搬送停止時などに中子３０が水平方向にずれることを防止することができる。また、弾性保持部材２０が各柱部材１３の長手方向に沿って底部枠部材１２から上部枠部材１１にかけて設けられていることにより、中子３０が鉛直方向にずれることも防止することができる。
【００２３】
なお、本実施例においては、弾性保持部材２０として上面視が蒲鉾型の柱状の中空部材２１を使用し、中空部材２１を各柱部材１３に沿わせて配置しているが、本発明において膨張可能な内部空間を有する弾性保持部材の形状や配置はこれに限られず、例えば、枠体１０の内周部に上面視が円環状やＣ字形の弾性保持部材を設けてもよい。
【００２４】
中空部材２１の枠体１０への取り付け方法としては、枠体１０に設けた窪みに中空部材２１を嵌め、その窪みで中空部材２１を接着固定とすることが好ましい。
【００２５】
（中子）
中子３０は、図３に示したように枠体１０の内部空間の中央部で、弾性保持部材２０によって把持されるように着脱自在に装着される。
【００２６】
中子３０は物品４０が嵌入される窪み３１を有している。即ち、本実施例において中子３０の窪み３１は、直方体の物品４０の本体形状と大きさに合わせて直方体に形成されているが、本発明において中子３０の窪み３１の形状は物品保持具が保持する当該物品４０の形状に合わせて適宜変更され、窪み３１の内寸法は、物品４０が出し入れ可能であり、中子３０に嵌入された物品４０が中子３０内で位置ずれしない大きさとする。これにより本発明の物品保持具は、中子３０を入れ替えるだけで種々の形状の物品に対応できるものとなる。
【００２７】
中子３０の窪み３１の内寸法は、より具体的には、物品４０の外径と同等又は僅かに大きいサイズとされる。例えば、窪み３１の内径を物品４０の外径の１０１〜１０５％とするか、又は窪み３１の内径と物品４０の外径との差を０．５〜３ｍｍとする。窪み３１をこのようなサイズとすることで、中子３０に嵌入させた物品４０が、搬送中のがたつきや脈動により、あるいは急激な搬送停止により、窪み３１の中で傾いたり、飛び出したり、物品４０が、内容物が充填された容器である場合に内容物がこぼれ出たりすることを防止することができる。
【００２８】
中子３０の窪み３１の入り口の角部３２は、丸めたり、テーパーをつけたりすることが好ましい。これにより、物品４０を窪み３１に嵌入させることが容易となり、また、物品４０を窪み３１に嵌入させるときに物品４０の底部に傷がつくことを防止することができる。
【００２９】
なお、本発明においては、窪み３１に代えて底部が抜けている穴を設けても良い。穴を設ける場合でも、その内寸法や入り口の角部の形状は、窪み３１を設ける場合と同様とする。
【００３０】
中子３０の外側形状については、下部にテーパー面３３を設けること（即ち、テーパー面３３と枠体１０の底面とのなす角度を鋭角にすること）や、底部の角部３４を丸めることが好ましい（図３）。これにより、中子３０の弾性保持部材２０への挿入が容易となり、また中子３０を弾性保持部材２０へ挿入する際に弾性保持部材２０が中子３０で傷つくことを防止することができる。
【００３１】
また、中子３０の外側形状に関し、中子３０を弾性保持部材２０へ挿入したときに弾性保持部材２０と面接触できる側面３５を設けることが好ましい（図２Ｂ、図３）。この側面３５の向きは、弾性保持部材２０の配置や向きに応じて設定する。また、この側面３５にもテーパーをつけ、中子３０を弾性保持部材２０で囲まれた空間に挿入することを容易にすることが好ましい。
【００３２】
また、中子３０の外側の上部には、外側に４方向に突出した腕部３６が設けられている（図２Ｂ）。枠体１０の内周部に設けられた弾性保持部材２０の内部に中子３０が装着された状態で、中子３０の腕部３６は、その先端面３６ａで枠体１０の内周面に当接する。この場合、各腕部３６の突出方向と、各腕部３６が当接する内周面とは垂直である。このように腕部３６を設けることにより中子３０をがたつき無く枠体１０の内部に装着することができる。即ち、中子３０は、弾性保持部材２０で把持されているが、搬送中のがたつきや脈動により、あるいは搬送の急激な開始又は停止により、中子３０には僅かではあるが水平方向に位置ずれが発生する場合がある。これに対して４方向に突出した腕部３６のそれぞれを枠体１０の内周面に突き当てると、枠体１０と中子３０との位置関係が定まり、枠体１０に対する中子３０の水平方向の位置を精確に固定することができる。なお、本実施例では、腕部３６を４方向に放射状に突出させているが、枠体１０の内部空間の形状によっては、腕部を３方向や５方向以上に放射状に突出させてもよい。
【００３３】
中子３０の内周面及び外周面には、微小な凹凸が水平方向に延びた多数の横筋が並列していることが好ましい。この凹凸の凸頂点から凹底部までの距離は、例えば０．０５〜０．８ｍｍ、ピッチは０．２〜１．０ｍｍとすることができる。
【００３４】
中子３０の内周面に上述の横筋が形成されていることにより、物品４０と中子３０との接触面積が小さくなり、物品４０と中子３０との動摩擦係数が低くなるため、中子３０への物品４０の出し入れが容易になる。また、この横筋により物品４０と中子３０との上下方向の静止摩擦係数が高まるため、搬送中に物品４０が中子３０から飛び出すことを防止することができる。物品４０の表面が柔らかく、変形しやすい場合には、この効果は特に顕著となる。
【００３５】
一方、中子３０の外周面に上述の横筋が形成されていることにより、弾性保持部材２０に対する中子３０の上下方向の静止摩擦係数が高まるため、搬送中に弾性保持部材２０から中子３０が外れることを防止することができる。
【００３６】
上述の横筋の形成方法は特に限定されないが、３Ｄプリンタにより中子３０を作製すると、３Ｄプリンタの積層痕を上述の横筋として利用することができる。３Ｄプリンタにおける造形方法としては、熱溶解積層法、シート成形法などを挙げることができる。装置価格が安価で造形時間が短く、造形に要する材料が安価であることから、リールに巻かれた線上の樹脂を用いる熱溶解積層法による造形法が好ましい。
【００３７】
中子３０の材質は特に限定されないが、軽量で、窪み３１や腕部３６などの形状を容易に形成できるようにする点から、例えば、エンジニアリングプラスチック等の樹脂、炭素繊維強化プラスチック（ＣＦＰＲ）等の複合材料をあげることができる。また、アルミニウム等の軽金属により中子３０を形成してもよい。この場合、中子３０の内周面及び外周面の横筋は、予め設計された形状として加工したり、加工時の切削痕として形成することができる。
【００３８】
（物品）
物品保持具１Ａで保持する物品４０は、中子３０に嵌入させることができる限り、特に制限はない。物品４０の外形は、例えば、球状、直方体、立方体、棒状などとすることができる。言い換えると、物品４０の外形に応じて、物品４０を嵌入させる中子３０の窪み３１の形状を適宜定めることができる。
【００３９】
物品保持具１Ａで保持している物品４０が、搬送開始直後や搬送停止直後のように物品４０に大きな力が加わるときに物品４０が中子３０の窪み３１からずれたり飛び出したりすることを防止するため、物品４０の高さは中子３０の窪み３１の深さの３倍以下とすることが好ましい。物品４０の重心が物品４０の下方にあると、物品４０の高さはさらに高いものであってよい。
【００４０】
物品４０の材質に、特に限定はない。物品は中実であっても中空であってもよい。
【００４１】
＜第２の実施例＞
図４に示した物品保持具１Ｂは、図１に示した物品保持具１Ａに対して、枠体１０と中子３０が共通であり、中子３０で保持できる物品４０も共通であるが、弾性保持部材２０として帯状の面状弾性体２２を湾曲させたものが使用されている点が異なっている。図５は、この物品保持具１Ｂにおいて中子３０を外した状態の斜視図である。また、図６Ａは、物品を保持している物品保持具１Ｂの斜視図であり、図６Ｂはその上面図である。
【００４２】
より具体的には、本実施例の物品保持具１Ｂでは、枠体１０の内部空間の中央部側が凸となるように湾曲させた帯状の面状弾性体２２の一端が、枠体１０の上部枠部材１１と柱部材１３との間に挟持されてネジで固定されており、他端が、枠体１０の底部枠部材１２と柱部材１３との間に挟持されてネジで固定されている。物品保持具１Ｂでは、こうして湾曲させた面状弾性体２２を弾性保持部材２０として使用している。
【００４３】
面状弾性体２２も各柱部材１３に対応して設けられており、図６Ｂに示すように、面状弾性体２２と、中子３０の側面３５の少なくとも一部とが面接触するように配置されている。なお、弾性保持体２２と中子３０の位置関係としては、物品４０の大きさによっては、例えば、図７に示すように、上面視で外形が概略矩形の中子３０の角隅部３７を面状弾性体２２に当接させ、それにより面状弾性体２２で中子３０を把持することも考えられるが、面状弾性体２２に中子３０の角隅部３７を突き当てるよりも図６Ｂに示したように、中子３０の側面３５と面状弾性体２２とを面接触させる方が、面状弾性体２２に把持させた中子３０に位置ずれが生じにくい点で好ましい。
【００４４】
面状弾性体２２としては、復元性と耐久性の高いものが好ましく、例えば、ベルトコンベアのベルト材料となる帯状材料等を使用することができ、その材質としては、布、天然ゴム、合成ゴム、プラスチック、炭素繊維強化プラスチック（ＣＦＰＲ）等の複合材料等を挙げることができる。弾性保持体２０をなす面状弾性体は、単層材料から形成されていても、複数層からなる積層材料から形成されていてもよい。
【００４５】
面状弾性体２２からなる弾性保持部材２０の好ましい復元性の程度としては、例えば、中子３０が面状弾性体２２を押し込む距離を、湾曲状態とした面状弾性体２２の中央部をプッシュプルゲージにて押圧して測定した場合に５〜３０Ｎであることが好ましい。なお、復元性は面状弾性体２２の形成材料によって調整することもできるが、湾曲の程度によっても調整することができる。即ち、面状弾性体２２の曲げの曲率半径を小さくすると中子３０を強い力で安定的に把持することができ、面状弾性体２２の曲げの曲率半径を大きくすると中子３０に対する把持力が弱まり、中子２０の交換が容易となる。
【００４６】
弾性保持部材２０を帯状の面状弾性体２２から構成すると、前述の中空部材２１から構成する場合に比して簡便に製造できる点で好ましい。一方、弾性保持部材２０と中子３０の側面３５を面接触させて弾性保持部材２０による中子３０の把持を安定させる点では、中子３０の形状に立体的に沿うように変形しやすいことから、前述の中空部材２１から弾性保持部材２０を構成することが好ましい。
【００４７】
＜第３の実施例＞
図８及び図９に示した物品保持具１Ｃも、枠体１０と弾性保持部材２０と中子３０から形成されており、枠体１０が、上部枠部材１１、底部枠部材１２、上部枠部材１１と底部枠部材１２を繋ぐ柱部材１３から形成されているが、この物品保持具１Ｃでは枠体１０の上面視に占める開口部１４の割合が小さくなっている。なお、枠体１０の外形の大きさは、物品保持具を使用するラインのコンベア等の大きさにおいて適宜定めることができ、一方、開口部１４の大きさは、物品保持具で保持すべき物品の大きさに応じて定めることができる。
【００４８】
また、この物品保持具１Ｃでは弾性保持部材２０として図１１に示す概略Ｘ形の面状弾性体２３が使用されている。図１０に示すように、面状弾性体２３は物品保持具１Ｃに取り付けられた状態で、枠体１０の内部空間の中央部側が凸となるように湾曲しており、その上部の２つの端部のそれぞれが、枠体１０の上部枠部材１１と柱部材１３との間に挟持されてネジで固定されており、下部の２つの端部のそれぞれが、枠体１０の底部枠部材１２と柱部材１３との間に挟持されてネジで固定されている。物品保持具１Ｃは、このように取り付けられた面状弾性体２３を合計２つ有し、各柱部材１３に沿った部分に弾性保持部材２０が配置されている。
【００４９】
図１１に示すように面状弾性体２３の中央部には水平に延びたスリット２４が開けられている。スリット２４は、後述するように、中子３０に設けられている突出部３８が挿入され、面状弾性体２３で把持される中子３０の位置ずれを防止する。
【００５０】
この面状弾性体２３の形成材料は、前述の帯状の面状弾性体２２と同様とすることができる。
【００５１】
一方、中子３０は、図１０に示すように中央部に物品４０が嵌入する窪み３１を有し、外側にテーパー面３３や、弾性保持部材２０と面接触する側面３５を有する点で図３あるいは図５に示した中子３０と同様であり、４方向に腕部３６が突出し、それらが枠体１０の内周面に当接している点でも同様である。
【００５２】
ただし物品保持具１Ｃの中子３０の窪み３１は、該物品保持具１Ｃで保持すべき物品４０が、図８に示すように底すぼみの楕円柱形状であるのに対応して、底すぼみの有底の楕円筒型となっている。
【００５３】
また、図３あるいは図５に示した中子３０では、腕部３６が中子の上面から底部に至る柱状に設けられているのに対し、この物品保持具１Ｃの中子３０は、腕部３６が中子３０の上部のみに形成されている。より具体的には、中子３０の上面から中子３０の高さの好ましくは１／２の範囲、より好ましくは１／３の範囲でのみ腕部３６が突出している。これにより腕部３６を、中子の上面から底部に至る柱状に形成する場合に比して中子３０の樹脂量を低減させることができ、中子３０を軽量化することができる。
【００５４】
また、物品保持具１Ｃの中子３０は、腕部３６とは別に、中子３０の上下方向の中央部において外側に突出した突出部３８を有する。突出部３８は、中子３０を枠体１０内に装着した状態で、面状弾性体２３のスリット２４に挿入され、突出部３８の先端が、枠体１０の隣り合う柱部材１３の間の開口部に位置する。これにより、中子３０の水平方向の位置ずれだけで無く、上下方向の位置ずれも防止することができる。
【００５５】
なお、この物品保持具１Ｃの中子３０の内周面及び外周面にも、微小な凹凸が水平方向に延びた多数の横筋が並列していることが好ましい。
【００５６】
本発明の物品保持具は、枠体と弾性保持部材と中子を備えている限り、上述した物品保持具１Ａ、１Ｂ、１Ｃの弾性保持部材２０や中子３０の変形態様を適宜組み合わせた構成とすることができる。
【符号の説明】
【００５７】
１Ａ、１Ｂ、１Ｃ  物品保持具
１０  枠体
１１  上部枠部材
１２  底部枠部材
１３  柱部材
１４  開口部
１５  取付穴
２０  弾性保持部材
２１  中空部材
２２  帯状の面状弾性体
２３  概略Ｘ形の面状弾性体
２４  スリット
３０  中子
３１  窪み
３２  入り口の角部
３３  テーパー面
３４  底部の角部
３５  側面
３６  腕部
３６ａ  先端面
３７  角隅部
３８  突出部
４０    物品
【図１】
2018131215.tif 000003
【図２Ａ】
2018131215.tif 000004
【図２Ｂ】
2018131215.tif 000005
【図３】
2018131215.tif 000006
【図４】
2018131215.tif 000007
【図５】
2018131215.tif 000008
【図６Ａ】
2018131215.tif 000009
【図６Ｂ】
2018131215.tif 000010
【図７】
2018131215.tif 000011
【図８】
2018131215.tif 000012
【図９】
2018131215.tif 000013
【図１０】
2018131215.tif 000014
【図１１】
2018131215.tif 000015